(57)【要約】備品機能および/またはサービス機能を備えた備品ピースを提供する。【構成】キャビティを外部環境から隔離する壁によって区切られたこのキャビティを形成する容器によって形成され、備品機能および/またはサービス機能を備えた備品ピースは、前記容器の前記壁の少なくとも一つにマルチメディアシステムが組み込まれていることを特徴とする。前記備品ピースのこれら壁の一つ以上が前記備品ピースの残りの壁に対して可動し、外部環境に対して前記備品ピースを開閉することができる。前記可動壁は前記備品ピースのドアでもよく、あるいは家庭用品のドアでもよい。備品ピースの壁内に挿入されたマルチメディアシステムは、モニターがマイクロコンピュータに接続され、このモニターはスクリーン、スクリーンを保護するガラスシート、およびガラスシートとスクリーンとの間に挿入されたタッチホイルを有するスクリーンパックからなる。このタッチホイルはマイクロコンピュータに接続し、モニターはフラットスクリーン・タイプである。前記スクリーンパックは厚さが５ｃｍ以下で、１４インチ以上の通常のモニターサイズであればよい。モニターを保護するグラスシートは、厚さが２ｃｍ以上である。【選択図】図２
2017520130.tif 000002
【特許請求の範囲】
【請求項１】
備品機能および/またはサービス機能を備えた備品ピースであって、壁によって区切られたキャビティを構成し、前記キャビティを前記壁によって外部環境から隔離する容器を有し、これら壁の一つ以上が前記容器の残りの部分に対して可動し、外部環境に対して前記容器を開閉できる備品ピースにおいて、
前記容器の前記壁の少なくとも一つにマルチメディアシステムを組み込んだことを特徴とする備品ピース。
【請求項２】
前記壁を前記備品ピースの他の壁に対して固定した請求項１に記載の備品ピース。
【請求項３】
前記壁が前記備品ピースのドアである請求項１に記載の備品ピース。
【請求項４】
前記ドアが家庭用品のドアである請求項３に記載の備品ピース。
【請求項５】
モニターがマイクロコンピュータに接続されたマルチメディアシステムにおいて、
前記モニターがスクリーン、このスクリーンを保護するガラスシートおよびタッチスクリーン機能を統合化する装置を有するスクリーンパックを備えることを特徴とするマルチメディアシステム。
【請求項６】
前記装置が、前記ガラスシートと前記スクリーンとの間に挿入されたタッチホイルである請求項５に記載のマルチメディアシステム。
【請求項７】
前記装置が、本質的に前記タッチスクリーン機能を統合化するスクリーンである請求項５に記載のマルチメディアシステム。
【請求項８】
前記装置を前記マイクロコンピュータに接続した請求項５に記載のマルチメディアシステム。
【請求項９】
前記ガラスシートの厚さが２ｃｍ以下である請求項５に記載のマルチメディアシステム。
【請求項１０】
前記ガラスシートのサイズが、１０インチ以上のモニターサイズである請求項５のマルチメディアシステム。
【請求項１１】
前記モニターがフラットスクリーン型モニターである請求項５に記載のマルチメディアシステム。
【請求項１２】
前記スクリーンパックの厚さが５ｃｍ以下である請求項５に記載のマルチメディアシステム。
【発明の詳細な説明】
【技術分野】
【０００１】
本発明は、日常生活や仕事環境で生じる問題に対処し、これを解決するために現在ほとんど取り換えがきかない家屋用、オフィス用のコンピュータシステムの分野に関する。
【背景技術】
【０００２】
ＴＶ、ラジオ、コンピュータ、タブレットなどのデジタル技術製品や、非デジタル媒体、幾つかの代表的な例を挙げると予定表、板書用のチョークを備えた小形の黒板、壁カレンダー、鏡、新聞、雑誌などの媒体は、絶対的に必要のものではないにしても、有用性の高いものである。にもかかわらず、これらの製品や媒体を現代の家屋環境、特にキッチンなどの限られたスペースに組み込む場合には、使用が難しく、また美観上の難点に関連して問題が発生し、秩序のない印象を与え、必要不可欠なものを除いていくつかの製品や媒体を諦めざるを得ない場合がある。さらに、これら製品や媒体の場合、クリーニング、保守、場合によっては修理、そして受信アンテナやコンセントを必要とする。
【０００３】
ＴＶについては、絵画のような壁掛け式が提案され、支持備品ピースの表面を他の用途に使用できるようにしている。この解決策は、備品ピースを利用できる作用効果を別にすると、上記問題を解決するものではない。ＴＶ画面の前に常に立っているか、あるいは座っていなければならないユーザーが動き回る余地が実質的になく、またＴＶが持っているサービス機能以上のサービス機能を受けることができないからである。ＴＶスクリーンを他の（例えばコンピュータ、タブレット、スマートフォン、ＤＶＤなどの）装置の補助モニターとして使用することについては誰もが考えているが、問題を解決するものではない。実際、このような装置は、程度に差はあれアクセス可能に設けなければならないことに加えて、ケーブルによってモニターに接続する必要があり、本発明によって解決しなければならない秩序のない状態が再び発生する。
【０００４】
ただ一つの装置によって利用可能になる多数のサービス機能が、異なる用途をもつタブレットやスマートフォンによって提供されているが、これらタブレットについては、一般的に作業面に置く必要がある。これらタブレットはユーザーによって持ち歩かれるため、後で必要になったときに、どこに置いたかを忘れることがある。いずれにせよ、使用時に鼻先に持ってこない限り、スマートフォンなどはスクリーンが実際の使用にはあまりにも小さ過ぎる。
【０００５】
以上説明してきた従来の問題は、石造壁や備品ピースの壁などの表面に取り付けることが可能な新型のマルチメディアシステムによって解決できることが本発明によって見いだされた。このシステムは、場合によってはこのシステムのドアのように移動可能（可動）であり、またこの壁に組み込むことが可能であり、そして大型のスクリーンによってユーザーが異なるサービス機能を実行できるシステムである。
【発明の概要】
【発明が解決しようとする課題】
【０００６】
即ち、本発明の目的は大型のスクリーンを使用して異なるサービス機能を実行できるマルチメディアシステムであって、このスクリーンにタッチすることによってこれらサービス機能を実行できるマルチメディアシステム、および表面部分をこのマルチメディアシステムに接続した装備機能およびサービス機能を実行する備品ピース（ｆｕｒｎｉｔｕｒｅ  ｐｉｅｃｅ）を提供することである。
【０００７】
即ち、本発明の第１態様は、装備機能またはサービス機能を備えた備品ピースであって、壁によって区切られたキャビティを構成し、前記キャビティを前記壁によって外部環境から隔離する容器を有し、これら壁の一つ以上が上記容器の残りの部分に対して可動し、外部環境に対して上記容器を開閉できる備品ピースにおいて、上記容器の上記壁の少なくとも一つにマルチメディアシステムを接続することを特徴とする備品ピースを提供するものである。
【０００８】
本発明の第２態様は、モニターがマイクロコンピュータに接続されたマルチメディアシステムにおいて、上記モニターがスクリーン、このスクリーンを保護するガラスシートおよびタッチスクリーン機能を統合化する装置を有するスクリーンパック（ｓｃｒｅｅｎ  ｐａｃｋ）を有することを特徴とするマルチメディアシステムに関するものである。本発明の第１実施態様では、上記装置が、上記ガラスシートと上記スクリーンとの間に挿入されたタッチホイル（ｔｏｕｃｈｆｏｉｌ）である。本発明の第２実施態様では、上記装置は本質的にタッチスクリーン機能を統合化するスクリーンである。このスクリーンはタッチスクリーンシステム用として具体的に開発された公知技術に従って容量型でもよく、あるいは抵抗型でもよく、あるいは赤外線フレームによって起動するものでもよい。
【０００９】
本発明のさらに別な特徴および作用効果に関しては、本発明の備品ピースおよびマルチメディアシステムが好ましいが、制限的ではない実施態様の、タッチホイルを使用する解決策に関する詳細な説明から明らかになるはずである。実際、当業者にとっては、以下の説明における本発明要旨を、タッチスクリーン機能を統合化したスクリーンに使用する本発明の実施態様に応用することは容易なはずである。
【図面の簡単な説明】
【００１０】
例示のみを目的とし、限定の意図はない添付図面を参照して、本発明の実施態様を以下に説明する。
【００１１】
【図１】本発明のマルチメディアシステムの好適な実施態様を示す図である。
【図２】第１実施態様において図１のメディアシステムを有する備品ピースを示す図である。
【発明を実施するための形態】
【００１２】
図１を参照して説明すると、本発明のマルチメディアシステム１は、下記の構成要素を内部に配設したフレーム５を有する。ここでの構成要素はスクリーンを設けたモニター２、このスクリーンの外表面を保護するガラスシート３、およびガラスシート３とスクリーンとの間に挿入した“タッチホイル”４である。所謂タッチスクリーン、即ち（ヒトの目に対して可視的な情報が表示される任意の出力装置であればよい）モニタースクリーンであって、タッチ（即ち人体の露出部分、例えば指先やその他の等価な人体部分のタッチ）に対して応答するモニタースクリーンは従来から公知である。タッチすると、モニタースクリーンがモニターに接続されたコンピュータに対して具体的な操作指示を送信する。本明細書において以下タッチホイルと呼ぶ装置は、フレキシブルなプラスチック材からなる透明シートであるのが好ましく、任意のフォーマット（サイズ）で入手可能である。この装置が、上記シートに接続されたコンピュータのＯＳ（ｏｐｅｒａｔｉｎｇ  ｓｙｓｔｅｍ）と交信する制御装置によって管理される容量性タイプのマトリックスを構成し、指先がタッチした点が座標（ｘ、ｙ）を構成する。前記制御装置は直列モードでもＵＳＢポートの手段でもコンピューターに接続できる。モニターと保護ガラスシートとの間にタッチホイルを挿入して、好ましくはＬＣＤタイプのスクリーンとタッチホイルを被覆するガラスとの間に少なくとも５ｍｍの空気ギャップを設けるのが好ましい。この技術構成によって、ユーザーがガラスシートの外表面にタッチした点に接続される情報をコンピュータに転送できる。このタッチホイルは、２０ｍｍ以下の厚さでガラスの後ろに被覆できる。この特徴があるため、本発明システムでは特に洗浄可能で着脱可能な透明ガラスまたはミラーを使用することができ、同時にガラスの反対側に被覆する技術を省略できる。
【００１３】
タッチホイルはマイクロコンピュータ６に接続し、このマイクロコンピュータ６が本発明のマルチメディアシステムの中核を構成するとともに、マイクロコンピュータ６内で実行されているプログラムのソフトウェアによって処理された情報をモニターのスクリーンに投影する。
【００１４】
本発明のマルチメディアシステムはきわめてコンパクトな装置であり、そのモニターは所謂“フラットスクリーン・タイプ”であり、スクリーンはＬＣＤタイプ、ＬＥＤタイプやプラズマタイプが好ましい。スクリーン、タッチホイルおよびグラスシートによって構成される所謂“パック（ｐａｃｋ）”は厚さ（ｓ）が薄く、好ましくは５ｃｍ以下であるため、パネルなどのフレームや、備品ピースの壁内に簡単に装着できる。より包括的には、備品ピースとしては壁によって区切られたキャビティを構成する容器を挙げることができ、これら壁がこのキャビティを外部環境から隔離する。上記壁の一つ以上が容器の残りの部分に対して可動なため、外部環境に対して容器を開閉できる。本開示では、備品ピースとは、所謂（カップボード、書斎、テーブル、壁ユニット、ドレッサーなどの）調度品だけではなく、冷蔵庫、従来のオーブン、電子レンジや皿洗い器などの家庭用品などのより一般的な所謂サービスのための備品ピースを指すものとする。
【００１５】
本発明のマルチメディアシステムを家庭用品に挿入する必要がある場合、当業者ならば適切な措置を取って、家庭用品の動作部分に対して本システムの動作および保護に対処できることはいうまでもなく、これら動作部分は高いおよび/または低い動作温度に暴露され、備品ピースの搖動および/または振動に伴って可動する部分である。また、本発明のマルチメディアシステムは通常はドアと呼ばれる上記可動壁の一つに挿入することが容易であり、この場合本発明のマルチメディアシステムの使用が容易になる。
【００１６】
図２に、台所用の典型的な備品ピース１０、即ち備品ピースの内部を外部環境から隔離する壁１１からなる備品ピースの複合体を構成する容器を示す。備品ピース１０は２つのドア１２、１３を備えた支柱１８、同様に２つのドア１４、１５を備えた壁部分、および支持表面１７の下に配設した複数の引き出し１６を有する。これらドアおよび引き出しがあるため、備品ピースに物品を入れ、これからその中に含まれる物品を引き出すことができることはいうまでもない。本発明の場合、マルチメディアシステム１はスクリーンを外側に向け、ドア１２内に組み込まれている。なお、支柱１８は必ずしもカップボードのスペースを与えるものではなく、通常のコンパートメントやフリーザーを閉めるドア１２を備えた組み込み型冷蔵庫であればよい。上記ドア１２としてはオーブンのドア、特に電子レンジのドア、あるいはその他の家庭用品のドアであればよい。
【００１７】
上記の本発明のマルチメディアシステム１のスクリーン−タッチホイル−ガラス複合体（パック）は、外部環境に対してシールされ、液体が透過せず、また好ましくは気密性を有するきわめてコンパクトな装置であり、電力をモニターに供給するワイヤ８のみが、デジタル信号をタッチホイル４に送るワイヤ７とともに引き出されている。ユーザーにとってスクリーンが良く見えるようにするために、パックのサイズはタブレットや携帯電話のスクリーンよりもかなり大きく、ガラス３のサイズがほぼ１０インチのスクリーンのサイズに対応するのが好ましい。
【００１８】
本発明のマルチメディアシステムを統合するマイクロコンピュータ６は、プロセッサー、ＲＡＭ内部メモリ、特にハードディスク、ＮＡＮＤ型フラッシュメモリー（Ｎａｎｄｆｌａｓｈ）、ＭＭＣ、マイクロＳＤ、ＯＳ（Ｏｐｅｒａｔｉｎｇ  Ｓｙｓｔｅｍ）、無線、イーサネット（Ｅｔｈｅｒｎｅｔ）、ブルートゥース（Ｂｌｕｅｔｏｏｔｈ）、３ｇ/ＬＴＥ、ＮＦＣ、タッチスクリーン装置に接続するＵＳＢポート（９）のうちの少なくとも一つからなる群に含まれる接続のうち少なくとも一つを形成する接続カード、および好ましくはウェブカムからなる群に含まれる任意の利用可能な技術によるＲＯＭマスメモリを有し、そしてさらに例えばプリンターなどのＯＳによって動作が担保される任意の一つの周辺装置、複数のプログラム、および多数のプログラムを同時実行するマルチタスクカード（Ｍｕｌｔｉ−ｔａｓｋｉｎｇ  ｃａｒｄ）を有する。
【００１９】
ＲＯＭメモリにインストールする上記ＯＳとしては、グーグル・アンドロイドＴＭやリナックスＴＭ（ＬｉｎｕｘＴＭ）などのオープン・ソース型ＯＳを使用することができ、あるいはウィンドーズＴＭなどの非オープン・ソース型ＯＳを使用することができ、いずれの場合もＯＳはタッチホイル、プリンターやウェブカムなどのインタラクティブな周辺装置を管理するために装備されている。所謂組み込み型のＯＳ、即ち一般にＲＯＭに使用され、通常のＯＳの装備に対して軽く、特定の機能のみに対して設計されたＯＳが好ましい。
【００２０】
本発明のＯＳによると、ユーザーが参照する例えばフォンコール、ビデオコール、ＴＶプログラム、カレンダー、予定表、電子ポストイット、ウェブページ、ビデオゲーム、マルチメディア・ファイルなどの任意のデジタル情報をビデオ表示するプログラムのインタラクティブな特性をインタラクティブ（ｉｎｔｅｒａｃｔｉｖｅ）に実行できる。
【００２１】
本発明は上記の課題を解決するもので、各種の作用効果を実現できる。本発明のマルチメディアシステムを起動すると、マイクロコンピュータがユーザーに提供するプログラムの異なるアイコン（ｉｃｏｎｓ）のすべてがパックのスクリーンに現れる。ユーザーが対象となるアイコンに存在するガラスにタッチするだけで、（モニター上に）ビデオが現れ、対応するプログラムを呼び出す。従って、スクリーンのサイズがユーザーがマルチメディアシステムのインストールされている室内を移動できるサイズなため、ユーザーが視野を狭めることなくプログラムのコースを容易に追従できる。このシステムの場合、配電網に何度もアクセスする必要はない。マイクロコンピュータが配電網に直接接続されて機能するからである。場合に応じて、適当な変圧器によってもよく、モニターによって配電してもよく、あるいは電池を使用してもよい。モニターについては、マイクロコンピュータに接続されたケーブルによって給電してもよく、あるいは独立給電してもよい（図１を参照）。
【００２２】
さらに詳しく説明すると、マイクロコンピュータは常時モニターに接続され、この接続は直接接続でもよく、あるいはＵＳＢポートとの接続によって、または配電網からモニターを通じてマイクロコンピュータの配電を直接受けた状態で（オーディオ信号/ビデオ信号の交換のための）ケーブルによって接続してもよい。なお、ＴＶ信号（デジタル地上信号および/またはデジタル衛星信号）を無線受信し、かつ信号をマイクロコンピュータへ送信する装置については、（例えば本発明の備品ピースに）アンテナケーブルを配線する必要がないようにするためにマイクロコンピュータから離間して配設するのが好ましい。信号伝送を無線システムで行えるからである。
【００２３】
本開示は、具体的に記載してきた実施態様の考えられる構造的変更やサイズ変更のすべてを記載するものではなく、実際、本発明システム構造の細部を拡張して説明する必要はないと考える。当業者ならば、本明細書の開示に従って、最も有利な課題の解決策を容易に設計できるはずであり、また正しい材料選択およびサイズ選択を行えるはずであるからである。
【００２４】
にもかかわらず、これらの変形例は本発明の特許請求の範囲に等しく含まれるもので、このような変形例はいずれも個々の実施態様を本発明の望ましい結果に結びつける関係に関する本開示から容易に引き出すことができるはずである。
【符号の説明】
【００２５】
１：マルチメディアシステム
２：モニター
３：ガラスシート
４：タッチホイル
５：フレーム
６：マイクロコンピュータ
７、８：ワイヤ
９：ＵＳＢポート
１０：備品ピース
１１：壁
１２、１３、１４、１５：ドア
１６：引き出し
１７：支持表面
１８：支柱
【図１】
2017520130.tif 000003
【図２】
2017520130.tif 000004
【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
備品機能および/またはサービス機能を備える備品ピースであって、壁によって区切られたキャビティを構成し、前記キャビティを前記壁によって外部環境から隔離する容器を有し、これら壁の一つ以上が前記容器の残りの部分に対して可動し、外部環境に対して前記容器を開閉でき、そしてさらに前記容器の前記壁の少なくとも一つに組み込んだモニターを有する備品ピースにおいて、
前記モニターがマイクロコンピュータに接続され、サイズが１０インチ以上のフラット・タイプスクリーンを使用して各種の技術的サービス機能を行うことを特徴とする備品ピース。
【請求項２】
前記壁を前記備品ピースの他の壁に対して固定した請求項１に記載の備品ピース。
【請求項３】
前記壁が前記備品ピースのドアである請求項１に記載の備品ピース。
【請求項４】
前記ドアが家庭用品のドアである請求項３に記載の備品ピース。
【請求項５】
前記備品ピースの前記壁の少なくとも一つに組み込んだコンパクト型マルチメディアシステムにおいて、
モニターに接続されたマイクロコンピュータを有し、各種の技術的サービス機能を使用することができ、前記モニターが、サイズが１０インチ以上のフラット・タイプスクリーンを有することを特徴とするコンパクト型マルチメディアシステム。
【請求項６】
前記モニターが前記スクリーンを保護するガラスシートおよびタッチスクリーン機能を統合化する装置を有する請求項５に記載のコンパクト型マルチメディアシステム。
【請求項７】
前記スクリーンがＬＣＤ型、ＬＥＤ型およびプラズマ型を有する群から選択される請求項５に記載のコンパクト型マルチメディアシステム。
【請求項８】
前記装置が前記ガラスシートと前記スクリーンとの間に挿入されたタッチホイルである請求項６に記載のコンパクト型マルチメディアシステム。
【請求項９】
前記ガラスシートの厚さが２ｃｍ以下である請求項６に記載のコンパクト型マルチメディアシステム。
【請求項１０】
前記モニターの厚さが５ｃｍ以下である請求項５に記載のコンパクト型マルチメディアシステム。
【国際調査報告】
2017520130.tif 000005
2017520130.tif 000006